(57)【要約】【課題】遊技盤に対する遊技釘の保持力を高める。【解決手段】弾球遊技機の遊技盤に対して取り付けられて遊技球の流路を形成するための遊技釘１０であって、本体部１２と、本体部１２のうち前記遊技盤に対して本体部１２が取り付けられる際に当該遊技盤に埋まる部分である取付部１４に形成されたら凹部（らせん状の溝部２０）と、らせん状の溝部２０内に収容された接着剤とを有し、前記接着剤が、溝部２０に収容された複数のカプセル３１内に収容されており、前記遊技盤に対する本体部１２の取付作業の際の衝撃によってカプセル３１が破壊され、前記接着剤が本体部１２と前記遊技盤とを接着する機能を発揮するものである。【選択図】    図２
2004147865.tif 000002
【特許請求の範囲】
【請求項１】
弾球遊技機の遊技盤に対して取り付けられて遊技球の流路を形成するための遊技釘であって、
釘本体と、
前記釘本体のうち前記遊技盤に対して当該釘本体が取り付けられる際に当該遊技盤に埋まる部分である取付部に形成された凹部と、
前記凹部内に収容された接着剤とを有する、
弾球遊技機の遊技釘。
【請求項２】
請求項１に記載の遊技釘であって、
前記接着剤が、前記凹部に収容された複数のカプセル内に収容されており、
前記遊技盤に対する前記釘本体の取付作業の際の衝撃によって前記カプセルが破壊され、前記接着剤が前記釘本体と前記遊技盤とを接着する機能を発揮するものである、
弾球遊技機の遊技釘。
【請求項３】
請求項１に記載の遊技釘であって、
前記接着剤が、熱可塑性を有し、常温においては接着機能が低く、前記遊技盤に対する前記釘本体の取付作業の際の摩擦熱に基づいて高温となることによって接着機能が高くなるものである、
弾球遊技機の遊技釘。
【請求項４】
請求項１〜請求項３のいずれかに記載の遊技釘であって、
前記凹部が、前記取付部においてらせん状に形成された溝である、
弾球遊技機の遊技釘。
【発明の詳細な説明】
【０００１】
【発明の属する技術分野】
本発明は、パチンコ機等の弾球遊技機に使用される遊技釘に関するものである。
【０００２】
【従来の技術】
パチンコ機（弾球遊技機）の遊技盤には、パチンコ球（遊技球）が流れる流路を形成するために釘（遊技釘）が取り付けられる。
【０００３】
パチンコ球が流れる流路が所定の状態で維持されるためには、遊技釘は、遊技盤に対して安定的に保持される必要がある。すなわち、遊技釘には、遊技盤から抜け落ちたり、所定の姿勢（遊技盤に対して取り付けられた姿勢）からずれないことが求められる。
【０００４】
そのために、従来の遊技釘には、その先端部近傍にらせん状の稜部が形成されているものもある。
また、そのうち、特許文献１には、高さの異なる複数のらせん状の稜部が形成されている遊技釘が開示されている。
【０００５】
【特許文献１】
特開平１２−８４１６２公報
【０００６】
【発明が解決しようとする課題】
ところで、パチンコ機等の弾球遊技機においては、パチンコ球（遊技球）によって遊技釘に多数回（無数回）の衝撃が加わる。
このため、上記従来の遊技釘でも、遊技盤に対する保持力が十分であるとはいえなかった。すなわち、遊技盤に対する遊技釘の姿勢が徐々に所定の姿勢からずれていくという欠点が残っていた。
【０００７】
そこで、本発明は、遊技盤に対する保持力が高い遊技釘を提供することを目的とする。
【０００８】
【課題を解決するための手段】
上記の目的を達成するために、請求項１に係る発明は、弾球遊技機の遊技盤に対して取り付けられて遊技球の流路を形成するための遊技釘であって、釘本体と、前記釘本体のうち前記遊技盤に対して当該釘本体が取り付けられる際に当該遊技盤に埋まる部分である取付部に形成された凹部と、前記凹部内に収容された接着剤とを有する、弾球遊技機の遊技釘である。
【０００９】
上記発明の遊技釘では、凹部内に収容された接着剤によって取付部が遊技盤（取付部が埋められる穴部）に対して固定される。
このため、この遊技釘は、遊技盤に対する保持力が高いものとなり、所定の姿勢からずれにくくなる。
【００１０】
請求項２に係る発明は、請求項１に係る発明の遊技釘であって、前記接着剤が、前記凹部に収容された複数のカプセル内に収容されており、前記遊技盤に対する前記釘本体の取付作業の際の衝撃によって前記カプセルが破壊され、前記接着剤が前記釘本体と前記遊技盤とを接着する機能を発揮するものである、弾球遊技機の遊技釘である。
【００１１】
上記の発明の遊技釘では、請求項１に係る発明の作用効果に加えて、次の作用効果が得られる。
すなわち、遊技盤に対する取付作業の前までは、接着剤はカプセル内に収容されているために、接着機能を発揮せず他のものと接着することが防止されるとともに、その接着剤が固化することが防止される。
一方、遊技盤に対する取付作業の際には、その際の衝撃によってカプセルが破壊され、カプセル内に収容されていた接着剤がカプセルから流出し、釘本体と遊技盤とを接着する機能を発揮する。
このように、必要なときにのみ接着剤がその接着機能を発揮するため、便利である。
【００１２】
請求項３に係る発明は、請求項１に係る発明の遊技釘であって、前記接着剤が、熱可塑性を有し、常温においては接着機能が低く、前記遊技盤に対する前記釘本体の取付作業の際の摩擦熱に基づいて高温となることによって接着機能が高くなるものである、弾球遊技機の遊技釘である。
【００１３】
「常温においては接着機能が低く、前記遊技盤に対する前記釘本体の取付作業の際の摩擦熱に基づいて高温となることによって接着機能が高くなるものである、」の一例として、「常温においては固化状態であって接着機能を有さず、前記遊技盤に対する前記釘本体の取付作業の際の摩擦熱に基づいて高温となることによって接着機能を発揮するものである、」がある。
【００１４】
上記の発明の遊技釘では、請求項１に係る発明の作用効果に加えて、次の作用効果が得られる。
すなわち、遊技盤に対する取付作業の前までは、接着剤は接着機能が低く、他のものと接着することが防止される。
一方、遊技盤に対する取付作業の際には、その際の摩擦熱によって接着剤が高温になって接着機能が高くなる。
このように、必要なときにのみ接着剤がその接着機能が高くなるため、便利である。
【００１５】
請求項４に係る発明は、請求項１〜請求項３のいずれかに係る発明の遊技釘であって、前記凹部が、前記取付部においてらせん状に形成された溝である、弾球遊技機の遊技釘である。
【００１６】
上記発明の遊技釘では、請求項１〜請求項３に係る発明の作用効果に加えて、次の作用効果が得られる。
すなわち、凹部が取付部においてらせん状に形成された溝であるため、その溝と溝との間（同一の溝であって取付部の側部を一周周回したものとの間の場合も含む）に形成される稜部によっても、遊技盤に対する保持力が向上することとなる。
なお、この稜部については、取付部のうち溝部（凹部）が形成されていない部分の側部よりも外方向（釘本体の遠心方向）に突出している場合も含まれる。
【００１７】
【発明の実施の形態】
［実施形態１］
次に、本発明の実施形態１について図１〜図５に基づいて説明する。
図１及び図２等に示すように、この遊技釘１０は、細長いほぼ円柱状の本体部１２（釘本体）を有している。本体部１２の基端部には、フランジ状の頭部１６が形成されている。本体部１２の先端部は尖っている。本体部１２及び頭部１６は、金属等によって形成されている。
【００１８】
遊技釘１０（本体部１２）の先端部の側の部分は、取付部１４とされている。図４に示すように、遊技釘１０は、取付部１４が遊技盤１０２に埋まるようにして、取付部１４において遊技盤１０２に対して取り付けられる。逆にいえば、そのように遊技盤１０２に埋まる部分が取付部１４である。
【００１９】
図１〜図３に示すように、取付部１４（正確には、そのうちの長さ方向の一部）には、らせん状の溝部２０が形成されている。らせん状の溝部２０は、平行に複数本形成されている。溝部２０同士の境界部分はらせん状の稜部２２とされており、稜部２２も平行に複数本形成されている。
【００２０】
図２及び図３に示すように、溝部２０の内部には、複数のカプセル３１が配設されている。なお、溝部２０のうちの全ての部分（その長さ方向の全ての部分）にカプセル３１が配設される場合と、溝部２０のうちの一部（その長さ方向の一部）にカプセル３１が配設される場合がある。
【００２１】
各カプセル３１内には、接着剤３０が充填（収容）されている。接着剤３０は、常温において非固化状態であって接着機能を有するものである。
各カプセル３１は、薄肉の合成樹脂によって形成されている。各カプセル３１は、後述するように、所定の脆弱性を有している。
【００２２】
これらのカプセル３１は、カプセル固定用接着剤４０によって溝部２０（正確にはその内壁面）に対して固定されている。
カプセル固定用接着剤４０は固化状態（ほぼ固体状態を含む）である。すなわち、この遊技釘１０が製造される過程のうち、各カプセル３１が溝部２０内に収容されて各カプセル３１が溝部２０に対して接着される段階の際は非固化状態で接着機能を有するが、その後固化し、この遊技釘１０が完成した段階以降においては、常温において接着機能を有していない。
このカプセル固定用接着剤４０は、後述するように、所定の脆弱性を有している。
【００２３】
次に、この遊技釘１０の使用方法及び作用効果について説明する。
図５に示すように、パチンコ機１００（弾球遊技機）は、遊技盤１０２を有している。遊技盤１０２は、木材又は合成樹脂等によって形成されている。
遊技盤１０２上には、種々の入賞口１０４，役物１０５，風車１０６等が設けられている。
【００２４】
この遊技釘１０は、遊技盤１０２上にパチンコ球（遊技球）の流路を形成するために、遊技盤１０２の所定の位置に取り付けられる。図５には、多数の遊技釘１０のうちの一部が取り付けられた状態が示されている。
【００２５】
図４に示すように、この遊技釘１０は、パチンコ機１００（弾球遊技機）の遊技盤１０２に対して、釘打機等によって頭部１６が打ち付けられることによって、取り付けられる。すなわち、本体部１２の取付部１４が遊技盤１０２（その肉厚）内に埋まった状態とされる。
【００２６】
その取付作業の際に、その衝撃によってカプセル固定用接着剤４０（図２及び図３参照）が破壊され、各カプセル３１も破壊される。すなわち、カプセル固定用接着剤４０及び各カプセル３１は、その衝撃によって破壊される程度に脆弱なものである。
こうして、各カプセル３１内から接着剤３０が溢れ出る。
【００２７】
そして、図４に示すように、その接着剤３０が遊技釘１０（本体部１２のうちの取付部１４）と遊技盤１０２（遊技釘１０の取付部１４が埋まった穴部）との間に介在する状態となる。
そして、その後、その接着剤３０が固化することによって、遊技釘１０（取付部１４）が遊技盤１０２に対して強固に固定される。
【００２８】
なお、１回の取付作業の際にすべてのカプセル３１が破壊されてすべてのカプセル３１から接着剤３０が溢れ出る場合に限らず、一部のカプセル３１のみが破壊されて一部のカプセル３１のみから接着剤３１が溢れ出る場合も含まれる。
この場合は、遊技釘１０を複数回使用することができる。すなわち、遊技盤１０２に対して一度取り付けられた遊技釘１０を遊技盤１０２から取り外して、再度遊技盤１０２に対して取り付けることができる。
【００２９】
［実施形態１の変形例］
上記実施形態１の変形例として、次の態様も考えられる。
すなわち、図３において２点鎖線で示すように、溝部２０同士の境界部分の稜部２２も覆われるように、カプセル３１（接着剤３０が充填されている）及びカプセル固定用接着剤４０が配設されていてもよい。すなわち、溝部２０内のみならず、それよりも外側（本体部１２の遠心方向の側）にもカプセル３１及びカプセル固定用接着剤４０が配設されてもよい。
【００３０】
［実施形態２］
次に、本発明の実施形態２について、図６及び図４等に基づいて、実施形態１との相違点を中心に説明する。
この遊技釘６０は、実施形態１の遊技釘１０と同様に、本体部１２の取付部１４（その一部）にらせん状の溝部２０が形成されている。
【００３１】
溝部２０内に接着剤７０が収容されている。接着剤７０は、熱可塑性を有するものであり、常温においては固化状態をしており、接着機能を有していない。そして、次述するように、所定の高温状態で非固化状態となり、接着機能を発揮するものである。
【００３２】
図４に示すように、この遊技釘６０は、実施形態１の場合と同様に、釘打機等によって遊技盤１０２に対して取り付けられる。
その取付作業の際に発生する摩擦熱によって、接着剤７０は、高温の非固化状態となって、接着機能を有する状態となる。
そして、その接着剤７０が遊技釘６０（本体部１２のうちの取付部１４）と遊技盤１０２（遊技釘６０の取付部１４が埋まった穴部）との間に介在する状態となる。
そして、その後、その接着剤７０が固化することによって、遊技釘６０（取付部１４）が遊技盤１０２に対して強固に固定される。
【００３３】
［実施形態２の変形例］
上記実施形態２の変形例として、次の態様も考えられる。
すなわち、図６において２点鎖線で示すように、溝部２０同士の境界部分の稜部２２も覆われるように、接着剤７０が配設されていてもよい。すなわち、溝部２０内のみならず、それよりも外側（本体部１２の遠心方向の側）にも接着剤７０が配設されてもよい。
【００３４】
なお、上記のものはあくまで本発明の数例の実施形態にすぎず、当業者の知識に基づき種々の変更を加えた態様で本発明を実施できることはもちろんである。例えば、取付部（１４）に形成される凹部は、必ずしもらせん状の溝部である必要はなく、種々の形状のものが適用され得る。
【００３５】
【発明の効果】
以上説明したように、本発明によれば、遊技釘が遊技盤に対して強固に固定される。このため、遊技球の流れる流路が所定のものに維持される。
【図面の簡単な説明】
【図１】本発明の実施形態１の遊技釘を示す斜視図である。（ａ）は、その遊技釘の全体（途中の部分は省略）を示す。（ｂ）は、その遊技釘のうちの要部について一部を破断して示す拡大図である。
【図２】本発明の実施形態１の遊技釘を示す側面図である。（ａ）は、その遊技釘の全体を示す。（ｂ）は、その遊技釘のうちの要部について一部を破断して示す拡大図である。
【図３】本発明の実施形態１の遊技釘を示す断面図である。
【図４】本発明の実施形態１の遊技釘が遊技盤に対して取り付けられた状態を示す断面図である。本発明の実施形態２の遊技釘が遊技盤に対して取り付けられた状態も併せて示す。
【図５】本発明の実施形態の遊技釘が取り付けられる遊技盤を有するパチンコ機の全体を示す正面図である。
【図６】本発明の実施形態２の遊技釘を示す断面図である。
【符号の説明】
１０，６０  遊技釘
１２  本体部（釘本体）
１４  取付部
２０  溝部（凹部）
３０，７０  接着剤
３１  カプセル
１００  パチンコ機（弾球遊技機）
１０２  遊技盤
【図１】
2004147865.tif 000003
【図２】
2004147865.tif 000004
【図３】
2004147865.tif 000005
【図４】
2004147865.tif 000006
【図５】
2004147865.tif 000007
【図６】
2004147865.tif 000008